(57)【要約】【課題】  外部装置とのシリアルインタフェース機能を備えた電子機器において、無意味なスリープ状態からの自動復帰を大幅に減らして消費電力をより低減させる。【解決手段】  コマンドレジスタに記録制御コマンドが格納されると、電源復帰トリガ信号が電源制御回路４１へ出力される。トランジスタＱ２が所定時間だけＯＮ制御され、定電圧直流電源装置１１０の出力電圧が定格電圧となり、記録制御部１００が起動する。記録制御部１００が情報処理装置２００から記録制御コマンド及び記録データを受信可能な状態になると、ＵＳＢモジュール４２のコマンドレジスタに格納されている記録制御コマンド、及びＦＩＦＯに格納されている記録データが順次記録制御部１００へ転送されてＲＡＭ２２へ格納される。【選択図】図５
2005246724.tif 000002
【特許請求の範囲】
【請求項１】
外部装置とのシリアルインタフェース機能を単体で実現するシリアルインタフェース装置と、電源装置と、該電源装置の出力電圧を制御する電源制御手段と、前記シリアルインタフェース装置を介して外部装置から受信したコマンド及びデータに基づいて制御を実行する制御装置とを備え、前記電源装置の出力電圧が定格電圧である間は電源ＯＮ状態となり、前記電源装置の出力電圧が待機電圧である間は、前記制御装置への電力供給が停止され、前記シリアルインタフェース装置及び前記電源制御手段のみが機能している省電力状態で電源ＯＦＦとなる電子機器であって、
前記シリアルインタフェース装置は、前記制御装置で実行されるコマンドのみが格納されるコマンドレジスタと、データが格納されるデータバッファとを有し、前記コマンドレジスタにコマンドが格納された時点で前記電源制御手段へ電源復帰トリガ信号を送出し、
前記電源制御手段は、前記電源装置の出力電圧を待機電圧に低下させている間に前記電源復帰トリガ信号を受信した時点で、前記電源装置の出力電圧を待機電圧から定格電圧まで上昇させる、ことを特徴とした電子機器。
【請求項２】
請求項１において、前記シリアルインタフェース装置は、複数の前記コマンドレジスタを有し、特定の前記コマンドレジスタにコマンドが格納された場合のみ前記電源制御手段へ電源復帰トリガ信号を送出する、ことを特徴とした電子機器。
【請求項３】
請求項１又は２において、前記シリアルインタフェース装置は、前記コマンドレジスタに特定のコマンドが格納された場合のみ前記電源制御手段へ電源復帰トリガ信号を送出する、ことを特徴とした電子機器。
【請求項４】
請求項１〜３のいずれか１項において、前記シリアルインタフェース装置は、前記電源復帰トリガ信号を前記電源制御手段へ送出した後、前記制御装置がコマンド及びデータを受信可能な状態か否かを検出し、前記制御装置がコマンド及びデータを受信可能な状態でない間は、外部装置に対して以降のコマンド及びデータの受信ができないことを通知する、ことを特徴とした電子機器。
【請求項５】
請求項１〜４のいずれか１項において、前記電源装置は、０Ｖに短絡すると出力電圧が定格電圧となり、ハイインピーダンスにすると出力電圧が待機電圧となる電圧制御端子を有し、
前記電源制御手段は、前記電圧制御端子を０Ｖに短絡した状態とハイインピーダンスにした状態とを前記電源復帰トリガ信号に基づいて切換可能な制御回路を有している、ことを特徴とした電子機器。
【請求項６】
請求項１〜４のいずれか１項において、前記電源制御手段は、所定の制御条件に基づいて前記電源装置の出力電圧を制御する電源専用制御装置を有している、ことを特徴とした電子機器。
【請求項７】
請求項１〜６のいずれか１項において、前記シリアルインタフェース装置は、ＵＳＢバスインタフェースモジュールを有している、ことを特徴とした電子機器。
【請求項８】
請求項１〜７のいずれか１項において、被記録材へインクを噴射する記録ヘッドを主走査方向へ往復動させる主走査駆動手段と、前記被記録材を副走査方向へ所定の搬送量にて搬送する副走査駆動手段とを備え、
前記制御装置は、前記コマンドレジスタに格納された記録制御コマンド、及び前記データバッファに格納された記録データを前記シリアルインタフェース装置から受信し、受信した記録制御コマンド及び記録データに基づいて、前記記録ヘッド、前記主走査駆動手段、及び副走査駆動手段を制御して被記録材への記録を実行する、ことを特徴とした電子機器。
【発明の詳細な説明】
【技術分野】
【０００１】
本発明は、外部装置とのシリアルインタフェース機能を備えた電子機器に関する。
【背景技術】
【０００２】
例えば、パーソナルコンピュータ等の情報処理装置と公知のＵＳＢ（Ｕｎｉｖｅｒｓａｌ・Ｓｅｒｉａｌ・Ｂｕｓ）規格やＩＥＥＥ１３９４等のシリアルインタフェースで接続され、ホスト装置としての情報処理装置から送信されるコマンドやデータ等に基づいて動作する電子機器においては、情報処理装置からコマンドやデータ等が送信されない状態が一定時間以上継続した場合にスリープ状態（省電力モード）に移行するようになっているのが一般的である。例えば、インクジェット式プリンタやファクシミリ等の記録装置がその典型例であり、これらの電子機器は、電源ＯＮの状態である間、印刷等の動作を実行する時間よりも停止している時間の方が圧倒的に長い場合が多い。そのため、電源ＯＮのまま停止している間は、内部の電源装置の出力電圧を低下させたり、モータ等の駆動力源への電力供給を遮断したりして、消費電力を低下させたスリープ状態で動作させることによって電源がＯＮされている間の電子機器の消費電力が低減されるようになっている。
【０００３】
このような電子機器においてスリープ状態で動作している間の電子機器の消費電力をより低減させる従来技術の一例としては、例えば、スリープ状態において内部の電源装置の出力電圧を低下させたり、モータ等の駆動力源への電力供給を遮断したりする等に加えて、さらに電子機器に搭載されている電子機器を制御するためのマイコン制御装置への電力供給も遮断してより消費電力を低減させるとともに、ホスト装置としての情報処理装置からデータを受信した際にスリープ状態から自動復帰するようにした電子機器が公知である（例えば、特許文献１又は特許文献２を参照）。ホスト装置としての情報処理装置からのデータに基づいて電子機器を動作させる際に、電子機器をスリープ状態から復帰させるためのユーザによる手動操作が不要になるので、電子機器の使い勝手が向上し便利である。特に、上述した電源ＯＮの状態である間、印刷等の動作を実行する時間よりも停止している時間の方が圧倒的に長いインクジェット式プリンタやファクシミリ等の記録装置において大きな効果が得られる。
【０００４】
【特許文献１】特開２００１−１８００８３号公報
【特許文献２】特開２００３−１１８２０４号公報
【発明の開示】
【発明が解決しようとする課題】
【０００５】
しかしながら、情報処理装置から送信されるデータには、電子機器の制御に無関係なデータも含まれている場合がある。したがって、電子機器がシリアルインタフェースを介してデータを受信する度に無条件にスリープ状態から自動復帰してしまうと、無意味なスリープ状態からの自動復帰が頻発することになり、その分だけ電子機器の消費電力が増加してスリープ状態に移行することによる省電力効果が低下してしまう虞があった。
【０００６】
本発明は、このような状況に鑑み成されたものであり、その課題は、外部装置とのシリアルインタフェース機能を備えた電子機器において、無意味なスリープ状態からの自動復帰を大幅に減らして消費電力をより低減させることにある。
【課題を解決するための手段】
【０００７】
上記課題を達成するため、本発明の第１の態様は、外部装置とのシリアルインタフェース機能を単体で実現するシリアルインタフェース装置と、電源装置と、該電源装置の出力電圧を制御する電源制御手段と、前記シリアルインタフェース装置を介して外部装置から受信したコマンド及びデータに基づいて制御を実行する制御装置とを備え、前記電源装置の出力電圧が定格電圧である間は電源ＯＮ状態となり、前記電源装置の出力電圧が待機電圧である間は、前記制御装置への電力供給が停止され、前記シリアルインタフェース装置及び前記電源制御手段のみが機能している省電力状態で電源ＯＦＦとなる電子機器であって、前記シリアルインタフェース装置は、前記制御装置で実行されるコマンドのみが格納されるコマンドレジスタと、データが格納されるデータバッファとを有し、前記コマンドレジスタにコマンドが格納された時点で前記電源制御手段へ電源復帰トリガ信号を送出し、前記電源制御手段は、前記電源装置の出力電圧を待機電圧に低下させている間に前記電源復帰トリガ信号を受信した時点で、前記電源装置の出力電圧を待機電圧から定格電圧まで上昇させる、ことを特徴とした電子機器である。
【０００８】
このように、電子機器の制御装置で実行されるコマンドのみが格納されるコマンドレジスタにコマンドが格納された時点でのみ電源制御手段へ電源復帰トリガ信号を送出する。それによって、外部装置とシリアルインタフェース装置との間のデータ送受信において、電子機器の制御に必要のないデータが外部装置から送信されてもそのデータによって、電子機器がスリープ状態（電源装置の出力電圧が待機電圧となっている状態）から自動電源復帰（電源装置の出力電圧が定格電圧となって制御装置が起動）してしまうことを抑制することができる。したがって、外部装置とのシリアルインタフェース機能を備えた電子機器において、無意味なスリープ状態からの自動復帰を大幅に減らして消費電力をより低減させることができるという作用効果が得られる。
【０００９】
本発明の第２の態様は、前述した第１の態様において、前記シリアルインタフェース装置は、複数の前記コマンドレジスタを有し、特定の前記コマンドレジスタにコマンドが格納された場合のみ前記電源制御手段へ電源復帰トリガ信号を送出する、ことを特徴とした電子機器である。  
このように、複数のコマンドレジスタを設けて特定のコマンドレジスタにコマンドが格納された場合のみ電源制御手段へ電源復帰トリガ信号を送出する。あらかじめコマンドの種類に応じて格納するコマンドレジスタを規定しておけば、特定の種類のコマンドを受信した場合にのみ電子機器をスリープ状態から自動電源復帰させるようにすることができる。
【００１０】
本発明の第３の態様は、前述した第１の態様又は第２の態様において、前記シリアルインタフェース装置は、前記コマンドレジスタに特定のコマンドが格納された場合のみ前記電源制御手段へ電源復帰トリガ信号を送出する、ことを特徴とした電子機器である。  
このように、コマンドレジスタに特定のコマンドが格納された場合のみ電源制御手段へ電源復帰トリガ信号を送出する。それによって、特定のコマンドを受信した場合にのみ電子機器をスリープ状態から自動電源復帰させるようにすることができる。
【００１１】
本発明の第４の態様は、前述した第１の態様〜第３の態様のいずれかにおいて、前記シリアルインタフェース装置は、前記電源復帰トリガ信号を前記電源制御手段へ送出した後、前記制御装置がコマンド及びデータを受信可能な状態か否かを検出し、前記制御装置がコマンド及びデータを受信可能な状態でない間は、外部装置に対して以降のコマンド及びデータの受信ができないことを通知する、ことを特徴とした電子機器である。
【００１２】
このように、シリアルインタフェース装置は、電源復帰トリガ信号を電源制御手段へ送出した後、制御装置がコマンド及びデータを受信可能な状態でない間、外部装置に対して以降のコマンド及びデータの受信ができないことを通知する。それによって、シリアルインタフェース装置が電源復帰トリガ信号を電源制御手段へ送出した後、電源装置の出力電圧が待機電圧から定格電圧へ上昇し、制御装置が起動して電子機器の初期処理が実行されて電子機器が動作可能な状態になるまでの間、シリアルインタフェース装置を介した外部装置からのコマンド及びデータの受信を一時中断することが可能になる。したがって、電子機器がスリープ状態から自動電源復帰するまでの間のデータバッファのデータオーバーフロー等を防止することができる。
【００１３】
本発明の第５の態様は、前述した第１の態様〜第４の態様のいずれかにおいて、前記電源装置は、０Ｖに短絡すると出力電圧が定格電圧となり、ハイインピーダンスにすると出力電圧が待機電圧となる電圧制御端子を有し、前記電源制御手段は、前記電圧制御端子を０Ｖに短絡した状態とハイインピーダンスにした状態とを前記電源復帰トリガ信号に基づいて切換可能な制御回路を有している、ことを特徴とした電子機器である。  
このように、電源制御手段を電源装置の電圧制御端子を０Ｖに短絡するかハイインピーダンスにするかを電源復帰トリガ信号に基づいて切り換える制御回路を有する構成とすることによって、極めて単純な回路で電源装置の出力電圧を制御することができる。それによって、電源制御手段における消費電力を低減させることができる。また、電源制御手段の電源をシリアルインタフェースケーブル経由で外部機器から供給されるように構成しても良く、それによって、スリープ状態時の電子機器の消費電力をさらに低減させることができる。
【００１４】
本発明の第６の態様は、前述した第１の態様〜第４の態様のいずれかにおいて、前記電源制御手段は、所定の制御条件に基づいて前記電源装置の出力電圧を制御する電源専用制御装置を有している、ことを特徴とした電子機器である。  
このように、電源制御手段を所定の制御条件に基づいて電源装置の出力電圧を制御する電源専用制御装置を有する構成としても良く、それによって、例えば、スリープ状態と通常状態以外の別の動作モードも可能になり、電子機器の状態に応じた様々な電源制御が可能になる。また、電源制御手段の電源をシリアルインタフェースケーブル経由で外部機器から供給されるように構成しても良く、それによって、スリープ状態時の電子機器の消費電力をさらに低減させることができる。
【００１５】
本発明の第７の態様は、前述した第１の態様〜第６の態様のいずれかにおいて、前記シリアルインタフェース装置は、ＵＳＢバスインタフェースモジュールを有している、ことを特徴とした電子機器である。  
本発明の第７の態様に示した電子機器によれば、近年急速に普及しつつあるＵＳＢインタフェースを備えた電子機器において、前述した第１の態様〜第６の態様のいずれかに記載の発明による作用効果を得ることができ、それによって、ＵＳＢインタフェースを備えた電子機器の消費電力を大幅に低減させることができる。
【００１６】
本発明の第８の態様は、前述した第１の態様〜第７の態様のいずれかにおいて、被記録材へインクを噴射する記録ヘッドを主走査方向へ往復動させる主走査駆動手段と、前記被記録材を副走査方向へ所定の搬送量にて搬送する副走査駆動手段とを備え、前記制御装置は、前記コマンドレジスタに格納された記録制御コマンド、及び前記データバッファに格納された記録データを前記シリアルインタフェース装置から受信し、受信した記録制御コマンド及び記録データに基づいて、前記記録ヘッド、前記主走査駆動手段、及び副走査駆動手段を制御して被記録材への記録を実行する、ことを特徴とした電子機器である。
【００１７】
本発明の第８の態様に示した電子機器によれば、シリアルインタフェース装置及び記録紙へ記録する手段を備えたインクジェット式プリンタやファクシミリ等の記録装置、或いは、記録紙へ記録する手段に加えてスキャナやコピー機能等を備えたデジタル複合機等の電子機器において、前述した第１の態様〜第７の態様のいずれかに記載の発明による作用効果を得ることができ、それによって、これらの電子機器の消費電力を大幅に低減させることができる。
【発明を実施するための最良の形態】
【００１８】
以下、本発明の実施の形態を図面に基づいて説明する。  
まず、本発明に係る「電子機器」の一例としてのインクジェット式記録装置の概略構成について説明する。
【００１９】
図１は、本発明に係るインクジェット式記録装置の概略の平面図であり、図２はその側面図である。  
インクジェット式記録装置５０には、記録紙Ｐにインクを噴射して記録を行う記録ヘッド６２を記録紙Ｐに対して主走査方向Ｘに走査させる「主走査駆動手段」として、キャリッジガイド軸５１に軸支され、主走査方向Ｘに移動するキャリッジ６１が設けられている。キャリッジ６１には、記録ヘッド６２と、記録ヘッド６２から噴射する各色のインクが充填されたインクカートリッジ６１１とが搭載されている。記録ヘッド６２と対向して、記録ヘッド６２のヘッド面と記録紙Ｐとのギャップを規定するプラテン５２が設けられている。また、インクジェット式記録装置５０には、記録ヘッド６２を記録紙Ｐに対して副走査方向Ｙに走査させる「副走査駆動手段」として、記録紙Ｐを副走査方向Ｙに搬送する搬送駆動ローラ５３と搬送従動ローラ５４が設けられている。
【００２０】
搬送駆動ローラ５３は、ステッピング・モータ等の回転駆動力により回転制御され、搬送駆動ローラ５３の回転により、記録紙Ｐは副走査方向Ｙに搬送される。搬送従動ローラ５４は、複数設けられており、それぞれ個々に搬送駆動ローラ５３に付勢され、記録紙Ｐが搬送駆動ローラ５３の回転により搬送される際に、記録紙Ｐに接しながら記録紙Ｐの搬送に従動して回転する。搬送駆動ローラ５３の表面には、高摩擦抵抗を有する皮膜が施されている。搬送従動ローラ５４によって、搬送駆動ローラ５３の表面に押しつけられた記録紙Ｐは、その表面の摩擦抵抗によって搬送駆動ローラ５３の表面に密着し、搬送駆動ローラ５３の回転によって副走査方向に搬送される。キャリッジ６１とプラテン５２の間に記録紙Ｐを副走査方向Ｙに所定の搬送量で搬送する動作と、記録ヘッド６２を主走査方向Ｘに一往復させる間に記録ヘッド６２から記録紙Ｐにインクを噴射する動作とを交互に繰り返すことによって記録紙Ｐに記録が行われる。
【００２１】
搬送駆動ローラ５３の副走査方向Ｙの上流側には、給紙トレイ５７が配設されている。給紙トレイ５７は、例えば普通紙やフォト紙等の記録紙Ｐを給紙可能な構成となっており、記録紙Ｐを自動給紙する給紙手段としてのＡＳＦ（オート・シート・フィーダー）が設けられている。ＡＳＦは、給紙トレイ５７に設けられた２つの給紙ローラ５７ｂ及び図示してない分離パッドを有する自動給紙機構である。この２つの給紙ローラ５７ｂの１つは、給紙トレイ５７の一方側に配置され、もう１つの給紙ローラ５７ｂは、記録紙ガイド５７ａに取り付けられており、記録紙ガイド５７ａは、記録紙Ｐの幅に合わせて幅方向に摺動可能に給紙トレイ５７に設けられている。そして、給紙ローラ５７ｂの回転駆動力と、分離パッドの摩擦抵抗により、給紙トレイ５７に置かれた複数の記録紙Ｐを給紙する際に、複数の記録紙Ｐが一度に給紙されることなく１枚ずつ正確に自動給紙される。
【００２２】
また、給紙ローラ５７ｂと搬送駆動ローラ５３との間には、公知の技術による紙検出器６３が配設されている。紙検出器６３は、立位姿勢への自己復帰習性が付与され、かつ記録紙搬送方向にのみ回動し得るよう記録紙Ｐの搬送経路内に突出する状態で枢支されたレバーを有し、このレバーの先端が記録紙Ｐに押されることでレバーが回動し、それによって記録紙Ｐが検出される構成を成す検出器である。紙検出器６３は、給紙ローラ５７ｂより給紙された記録紙Ｐの始端位置、及び終端位置を検出し、その検出位置に合わせて記録領域が決定され、記録が実行される。
【００２３】
一方、記録実行後の記録紙Ｐを排紙する手段として、排紙駆動ローラ５５と排紙従動ローラ５６とが設けられている。排紙駆動ローラ５５は、ステッピング・モータ等の回転駆動力により回転制御され、排紙駆動ローラ５５の回転により、記録実行後の記録紙Ｐは副走査方向Ｙに排紙される。排紙従動ローラ５６は、周囲に複数の歯を有し、各歯の先端が記録紙Ｐの記録面に点接触するように鋭角的に尖っている歯付きローラになっている。複数の排紙従動ローラ５６は、それぞれ個々に排紙駆動ローラ５５に付勢され、記録紙Ｐが排紙駆動ローラ５５の回転により排紙される際に記録紙Ｐに接して記録紙Ｐの排紙に従動して回転する。  
そして、給紙ローラ５７ｂや搬送駆動ローラ５３、及び排紙駆動ローラ５５を回転駆動する図示していない搬送駆動用モータ、並びにキャリッジ６１を主走査方向に駆動する図示していないキャリッジ駆動用モータは、後述する記録制御部１００により駆動制御される。また、記録ヘッド６２も同様に、記録制御部１００により駆動制御されて記録紙Ｐの表面にインクを噴射する。
【００２４】
図３は、本発明に係るインクジェット記録装置５０の概略のブロック図である。  
「シリアルインタフェース装置」としてのＵＳＢモジュール４２を介して「外部装置」としての情報処理装置２００から受信した記録制御コマンド及び記録データに基づいて制御を実行する「制御装置」としての記録制御部１００は、システムバスＳＢを備えており、システムバスＳＢには、ＲＯＭ２１、ＲＡＭ２２、「シリアルインタフェース装置」としてのＵＳＢモジュール４２、メモリカードインタフェース２４、ＭＰＵ（マイクロプロセッサ）２６、Ｉ／Ｏ２７、及びヘッドドライバ２８がデータ転送可能に接続されている。ＭＰＵ２６では各種処理の演算処理が行われる。ＲＯＭ２１には、ＭＰＵ２６の演算処理に必要なソフトウェア・プログラム及びデータがあらかじめ記憶されている。ＲＡＭ２２は、ソフトウェア・プログラムの一時的な記憶領域、ＭＰＵ２６の作業領域等として使用される。各種モータ制御部３１は、インクジェット式記録装置５０の各種モータを駆動制御する駆動制御回路である。各種センサー３２は、インクジェット記録装置５０の各種状態情報を検出してＩ／Ｏ２７に出力する。Ｉ／Ｏ２７は、ＭＰＵ２６における演算処理結果に基づいて、各種モータ制御部３１に対して出力制御を行い、かつ各種センサー３２からの入力情報等を入力する。
【００２５】
「外部装置」としての情報処理装置２００とのシリアルインタフェース機能を単体で実現する「シリアルインタフェース装置」としてのとしてのＵＳＢモジュール４２は、デュアルロールＵＳＢインタフェース機能を備えている。例えば、ＵＳＢホストコントローラを搭載した「ホスト装置」としての情報処理装置２００として、パーソナルコンピュータ等のＵＳＢホスト装置が接続された場合には、インクジェット式記録装置５０をＵＳＢデバイスとして機能させる。記録実行時に画像データは、情報処理装置２００においてＲＧＢデータからＹＭＣデータに色変換された後、２値化処理が行われて２値化されたＹＭＣデータに変換されて記録データが生成される。生成された記録データは、インクジェット式記録装置５０を制御するための記録制御コマンドとともに情報処理装置２００からインクジェット式記録装置５０へ送信される。情報処理装置２００から送信された記録データ及び記録制御コマンドは、ＵＳＢモジュール４２が受信した後、ＲＡＭ２２へ格納される。ＲＡＭ２２へ格納された記録データ及び記録制御コマンドは、ＭＰＵ２６にて実行されるプログラム処理によって、コマンド解析、及びデータ圧縮された記録データを展開する処理等が実行される。記録制御コマンドは、ＭＰＵ２６へ転送され、展開された記録データは、「ヘッド駆動手段」としてのヘッドドライバ２８へ転送される。
【００２６】
一方、ＵＳＢモジュール４２は、ＵＳＢバスインタフェースを搭載したデジタルカメラ等のＵＳＢデバイスが接続された場合には、インクジェット式記録装置５０をＵＳＢホスト装置として機能させる。また、メモリカードインタフェース２４は、メモリカードスロット２５に挿入されたメモリカードに格納されている画像データの読み出しを実行する。ＵＳＢモジュール４２を介してデジタルカメラ等のＵＳＢデバイスから読み出された画像データ、或いはメモリカードインタフェース２４を介してメモリカードから読み出された画像データは、ＭＰＵ２６にて実行されるプログラム処理によってＲＧＢデータからＹＭＣデータに色変換された後、２値化処理が行われて２値化されたＹＭＣデータに変換されて記録データが生成される。生成された記録データは、情報処理装置２００から記録データを受信した場合と同様にヘッドドライバ２８へ転送される。ヘッドドライバ２８は、その記録データに基づいて記録ヘッド６２を駆動し、記録ヘッド６２のヘッド面から各色のインクが記録紙Ｐの記録面に噴射されて記録紙Ｐへの記録が実行される。
【００２７】
図４は、本発明に係るインクジェット式記録装置５０の概略の電源系統図である。  
インクジェット式記録装置５０は、「電源装置」としての定電圧直流電源装置１１０を備えている。定電圧直流電源装置１１０は、電圧制御端子ＰＳＣを有し、電圧制御端子ＰＳＣがハイインピーダンス状態で出力電圧が「待機電圧」としての約２０Ｖに維持され、電圧制御端子ＰＳＣが０Ｖに短絡されると出力電圧が「定格電圧」としての４２Ｖに維持される。定電圧直流電源装置１１０の出力には、定電圧直流電源装置１１０から電力を供給される「負荷装置」として、モータＭ（前述した搬送駆動用モータやキャリッジ駆動用モータ）、記録ヘッド６２、及び定電圧直流電源装置１１０の出力電圧を制御回路用電圧３．３Ｖに変換して出力するＤＣ−ＤＣコンバータ３３、並びにＤＣ−ＤＣコンバータ３３を介して記録制御部１００が接続されている。モータＭ、記録ヘッド６２、及びＤＣ−ＤＣコンバータ３３は、定電圧直流電源装置１１０の出力から直接電源を供給され、「定格電圧」としての４２Ｖで動作し、定電圧直流電源装置１１０の出力電圧が「待機電圧」としての約２０Ｖまで低下しているときは動作しない。したがって、定電圧直流電源装置１１０の出力電圧が「待機電圧」のときは、記録制御部１００への制御回路用電圧３．３Ｖの供給も停止する。
【００２８】
記録制御部１００は、インクジェット式記録装置５０の電源スイッチ３５の操作状態を入力端子ＩＰから入力する。入力端子ＩＰは、抵抗Ｒ１を介して制御回路用電圧３．３Ｖでプルアップされている。電源スイッチ３５の接点回路は、一方側がＧＮＤに短絡されており、他方側がダイオードＤ２を介して記録制御部１００の入力端子ＩＰと、ダイオードＤ１を介して定電圧直流電源装置１１０の電圧制御端子ＰＳＣとにそれぞれ接続されている。電源スイッチ３５を操作（押下）している間は、記録制御部１００の入力端子ＩＰが０Ｖに短絡され、入力端子ＩＰの電圧が３．３Ｖから０Ｖに変化し、それによって、記録制御部１００が電源スイッチ３５の操作状態を検出する。電源スイッチ３５を操作（押下）している間は、定電圧直流電源装置１１０の電圧制御端子ＰＳＣが０Ｖに短絡され、定電圧直流電源装置１１０の出力電圧が定格電圧としての４２Ｖになる。トランジスタＱ１は、記録制御部１００の出力端子ＯＰから出力される制御電圧によってＯＮ／ＯＦＦ制御される。
【００２９】
まず、電源スイッチ３５によるインクジェット式記録装置５０の電源ＯＮ／ＯＦＦ操作について説明する。  
電源ＯＦＦ状態（スリープ状態）のインクジェット式記録装置５０は、定電圧直流電源装置１１０の出力電圧が待機電圧となっており、記録制御部１００が機能停止した状態となっている。その状態から電源スイッチ３５を操作（押下）すると、定電圧直流電源装置１１０の電圧制御端子ＰＳＣが０Ｖに短絡され、それによって、定電圧直流電源装置１１０の出力電圧が待機電圧から定格電圧４２Ｖまで上昇する。ＤＣ−ＤＣコンバータ３３から制御回路用電圧３．３Ｖが出力されるようになり、記録制御部１００が起動する。起動後の記録制御部１００は、入力端子ＩＰが電源スイッチ３５の操作によって０Ｖに短絡されていることを検出して、出力端子ＯＰから出力するトランジスタＱ１の制御電圧をＯＮ制御電圧に保持する。トランジスタＱ１のベース電流が流れてトランジスタＱ１がＯＮし、コレクタに接続されている電圧制御端子ＰＳＣがエミッタに接続されている０Ｖに短絡される。電源スイッチ３５が操作（押下）されていない状態になった後も記録制御部１００にＯＮ制御されるトランジスタＱ１によって電圧制御端子ＰＳＣが０Ｖに短絡された状態が保持されるので、定電圧直流電源装置１１０の出力電圧が定格電圧４２Ｖに維持され、インクジェット式記録装置５０の電源ＯＮ状態が維持される。
【００３０】
一方、電源ＯＮ状態のインクジェット式記録装置５０は、定電圧直流電源装置１１０の出力電圧が定格電圧となっており、記録制御部１００が動作している。その状態から電源スイッチ３５を操作（押下）すると、記録制御部１００の入力端子ＩＰ２の電圧が３．３Ｖから０Ｖに変化する。記録制御部１００は、入力端子ＩＰ２の電圧が０Ｖになったことを検出した後、出力端子ＯＰから出力するトランジスタＱ１の制御電圧をＯＦＦ制御電圧に保持する。トランジスタＱ１のベース電流が流れなくなり、トランジスタＱ１がＯＦＦし、トランジスタＱ１のコレクタに接続されている電圧制御端子ＰＳＣがハイインピーダンスに保持される。それによって、定電圧直流電源装置１１０の出力電圧が定格電圧４２Ｖから待機電圧まで低下して、ＤＣ−ＤＣコンバータ３３から制御回路用電圧３．３Ｖが出力されなくなり、記録制御部１００が停止してインクジェット式記録装置５０の電源がＯＦＦ状態となる。
【００３１】
つづいて、ＵＳＢモジュール４２と情報処理装置２００とのデータ伝送によるインクジェット式記録装置５０の自動電源ＯＮ（スリープ状態からの自動復帰）について説明する。  
「外部装置」としての情報処理装置２００とのシリアルインタフェース機能を単体で実現する「シリアルインタフェース装置」としてのとしてのＵＳＢモジュール４２は、ＵＳＢコネクタ３４を介してＵＳＢ接続ケーブルＣＢにて接続された情報処理装置２００から記録制御コマンドを受信すると電源復帰トリガ信号を電源制御部４０へ出力する。電源制御手段４０は、電源制御回路４１と、電源制御回路４１が出力するＯＮ電圧で動作して電圧制御端子ＰＳＣを０Ｖに短絡するトランジスタＱ２とを有しており、ＵＳＢモジュール４２が出力する電源復帰トリガ信号を検出して、電源復帰トリガ信号を検出した時点から所定時間、電圧制御端子ＰＳＣを０Ｖに短絡する。
【００３２】
電源ＯＦＦ状態（スリープ状態）のインクジェット式記録装置５０は、定電圧直流電源装置１１０の出力電圧が待機電圧となっており、記録制御部１００が機能停止した状態となっている。その状態からＵＳＢモジュール４２がＵＳＢケーブルＣＢを介して接続されている情報処理装置２００から記録制御コマンドを受信すると、電源制御回路４１によってトランジスタＱ２が所定時間ＯＮ制御される。その間、トランジスタＱ２のベース電流が流れてトランジスタＱ２がＯＮし、トランジスタＱ２のコレクタに接続されている電圧制御端子ＰＳＣがトランジスタＱ２のエミッタに接続されている０Ｖに短絡される。それによって、定電圧直流電源装置１１０の出力電圧が待機電圧から定格電圧４２Ｖまで上昇し、ＤＣ−ＤＣコンバータ３３から制御回路用電圧３．３Ｖが出力されるようになり、記録制御部１００が起動する。起動後の記録制御部１００は、出力端子ＯＰから出力するトランジスタＱ１の制御電圧をＯＮ制御電圧に保持する。トランジスタＱ１のベース電流が流れてトランジスタＱ１がＯＮし、トランジスタＱ１のコレクタに接続されている電圧制御端子ＰＳＣが、トランジスタＱ１のエミッタに接続されている０Ｖに短絡される。所定時間が経過してトランジスタＱ２がＯＦＦした後も記録制御部１００にＯＮ制御されているトランジスタＱ１によって電圧制御端子ＰＳＣが０Ｖに短絡された状態が保持されるので、定電圧直流電源装置１１０の出力電圧が定格電圧４２Ｖに維持され、インクジェット式記録装置５０の電源ＯＮ状態が維持される。
【００３３】
図５は、ＵＳＢモジュール４２のモジュール構造を示した構造図である。  
ＵＳＢコネクタ３４からＰＨＹ（物理層Ｉ／Ｆ）を介して情報処理装置２００からデータを受信すると、ＵＳＢマクロ及びＵＳＢＣｌａｓｓマクロによって、受信したデータの中から記録制御部１００で処理されるべき記録制御コマンド（Ｈ／Ｗ処理コマンド、Ｆ／Ｗ処理コマンド）がコマンドレジスタへ格納され、記録データが「データバッファ」としてのＦＩＦＯに格納される。コマンドレジスタに記録制御コマンドが格納されると、電源復帰トリガ信号が電源制御回路４１へ出力される。トランジスタＱ２が所定時間だけＯＮ制御され、それによって、定電圧直流電源装置１１０の出力電圧が定格電圧となり、記録制御部１００が起動する。記録制御部１００が起動した後、記録制御部１００がイニシャル処理手順等を実行して情報処理装置２００から記録制御コマンド及び記録データを受信してインクジェット式記録装置５０の記録制御可能な状態になるまでの間、ＵＳＢモジュール４２は、情報処理装置２００に対して以降のコマンド及びデータの受信ができないことを通知する。記録制御部１００が情報処理装置２００から記録制御コマンド及び記録データを受信可能な状態になると、ＵＳＢモジュール４２のコマンドレジスタに格納されている記録制御コマンド、及びＦＩＦＯに格納されている記録データが順次記録制御部１００へ転送されてＲＡＭ２２へ格納される。
【００３４】
このように、記録制御部１００で実行される記録制御コマンドのみが格納されるコマンドレジスタにコマンドが格納された時点でのみ電源制御手段４０へ電源復帰トリガ信号を送出することによって、インクジェット式記録装置５０の制御に必要のないデータが情報処理装置２００から送信されてもそのデータはコマンドレジスタに格納されないので、その不要なデータによってインクジェット式記録装置５０がスリープ状態から自動電源復帰してしまうことを抑制することができる。
【００３５】
また、複数のコマンドレジスタを設けて特定のコマンドレジスタにコマンドが格納された場合のみ電源制御手段４０へ電源復帰トリガ信号を送出するようにしても良く、あらかじめコマンドの種類に応じて格納するコマンドレジスタを規定しておけば、特定の種類のコマンドを受信した場合にのみインクジェット式記録装置５０をスリープ状態から自動電源復帰させるようにすることができる。さらに、コマンドレジスタに特定のコマンドが格納された場合のみ電源制御手段４０へ電源復帰トリガ信号を送出するようにしても良く、あらかじめ特定のコマンドを規定しておけば、特定のコマンドを受信した場合にのみインクジェット式記録装置５０をスリープ状態から自動電源復帰させるようにすることができる。さらに、電源制御手段４０の電源をＵＳＢケーブルＣＢ経由で情報処理装置２００から供給されるように構成しても良く、それによって、スリープ状態時のインクジェット式記録装置５０の消費電力をさらに低減させることができる。
【００３６】
このようにして、情報処理装置２００とのシリアルインタフェース機能を備えたインクジェット式記録装置５０において、無意味なスリープ状態からの自動復帰を大幅に減らして消費電力をより低減させることができる。
【００３７】
また、他の実施例としては、電源制御手段４０は、所定の制御条件に基づいて定電圧直流電源装置１１０の出力電圧を制御する電源専用制御装置を有しているものが挙げられる。
【００３８】
図６は、ＵＳＢモジュール４２のモジュール構造を示した構造図であり、電源制御手段４０の他の実施例を示したものである。  
ＵＳＢモジュール４２が出力する電源復帰トリガ信号は、電源専用制御部１０１に送信され、電源制御回路４１は、電源専用制御部１０１によって制御される。電源専用制御部１０１は、記録制御部１００と同様にＭＰＵを有するマイコン制御装置であり、インクジェット式記録装置５０の動作状態やユーザによる操作状態、所定の電源制御条件等に応じて定電圧直流電源装置１１０の出力電圧の切換制御を実行する。例えば、スリープ状態と通常状態以外の別の動作モードも可能になり、インクジェット式記録装置５０の状態に応じた様々な電源制御が可能になる。
【００３９】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００４０】
【図１】本発明に係るインクジェット式記録装置の平面図である。
【図２】本発明に係るインクジェット式記録装置の側面図である。
【図３】本発明に係るインクジェット式記録装置のブロック図である。
【図４】本発明に係るインクジェット式記録装置の概略の電源系統図である。
【図５】ＵＳＢモジュールのモジュール構造を示した構造図である。
【図６】ＵＳＢモジュールのモジュール構造を示した構造図である。
【符号の説明】
【００４１】
２１  ＲＯＭ、２２  ＲＡＭ、２４  メモリカードインタフェース、２５  メモリカードスロット、２６  ＭＰＵ、２７  Ｉ／Ｏ、２８  ヘッドドライバ、３３  ＤＣ−ＤＣコンバータ、３４  ＵＳＢコネクタ、３５  電源スイッチ、４０  電源制御手段、４１  電源制御回路、４２  ＵＳＢモジュール、５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、５７  給紙トレイ、５７ｂ  給紙ローラ、６１  キャリッジ、６２  記録ヘッド、６３  紙検出器、１００  記録制御部、１１０  定電圧直流電源装置、２００  情報処理装置、ＣＢ  ＵＳＢケーブル、Ｐ  記録紙、ＰＳＣ  電圧制御端子、ＳＢ  システムバス、Ｘ  主走査方向、Ｙ  副走査方向
【図１】
2005246724.tif 000003
【図２】
2005246724.tif 000004
【図３】
2005246724.tif 000005
【図４】
2005246724.tif 000006
【図５】
2005246724.tif 000007
【図６】
2005246724.tif 000008